【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
第１の発光素子と、第２の発光素子を有する発光装置であって、
前記第１の発光素子は、第１の画素電極と、発光層と、第１の対向電極と、を有し、
前記第２の発光素子は、第２の画素電極と、前記発光層と、第２の対向電極と、を有し
前記第１の画素電極および前記第２の画素電極は同一表面上に形成され、
前記第１の対向電極および前記第２の対向電極は同一表面上に形成され、
前記第１の画素電極および前記第２の対向電極は、陽極または陰極のいずれか一方であり、
前記第２の画素電極および前記第１の対向電極は、陽極または陰極のいずれか他方であることを特徴とする発光装置。
【請求項２】
絶縁表面上に形成された第１のＴＦＴおよび第２のＴＦＴと、
前記第１のＴＦＴおよび前記第２のＴＦＴ上に形成された層間絶縁膜と、
前記層間絶縁膜上に形成された第１の画素電極および第２の画素電極と、
前記第１の画素電極と前記第１のＴＦＴとの接続部、および第２の画素電極と前記第２のＴＦＴとの接続部を覆って形成された絶縁膜と、
前記第１の画素電極および前記第２の画素電極上に形成された発光層と、
前記発光層上に形成された第１の対向電極、および第２の対向電極と、
を有する発光装置であって、
前記第１の画素電極、および前記第２の対向電極は、陽極または陰極のいずれか一方であり、
前記第２の画素電極、および前記第１の対向電極は、陽極または陰極のいずれか他方であることを特徴とする発光装置。
【請求項３】
絶縁表面上に形成された第１のＴＦＴおよび第２のＴＦＴと、
前記第１のＴＦＴおよび前記第２のＴＦＴ上に形成された層間絶縁膜と、
前記層間絶縁膜上に形成された第１の画素電極および第２の画素電極と、
前記第１の画素電極と前記第１のＴＦＴとの接続部、および第２の画素電極と前記第２のＴＦＴとの接続部を覆って形成された絶縁膜と、
前記第１の画素電極および前記第２の画素電極上に形成された発光層と、
前記発光層上に形成された第１の対向電極、および第２の対向電極と、
を有する発光装置であって、
前記第１のＴＦＴおよび前記第２のＴＦＴは、ソース領域およびドレイン領域をそれぞれ有し、
第１の画素電極は第１の電極からなり、
第２の画素電極は第２の電極および第１の補助電極からなり、
前記第１の電極および前記第２の電極は、前記層間絶縁膜に形成された開口部において、前記ソース領域または前記ドレイン領域のいずれか一方と電気的に接続され、
前記第１の画素電極、および前記第２の対向電極は、陽極または陰極のいずれか一方であり、
前記第２の画素電極、および前記第１の対向電極は、陽極または陰極のいずれか他方であることを特徴とする発光装置。
【請求項４】
絶縁表面上に形成された第１のＴＦＴおよび第２のＴＦＴと、
前記第１のＴＦＴおよび前記第２のＴＦＴ上に形成された層間絶縁膜と、
前記層間絶縁膜上に形成された第１の画素電極および第２の画素電極と、
前記第１の画素電極と前記第１のＴＦＴとの接続部、および第２の画素電極と前記第２のＴＦＴとの接続部を覆って形成された絶縁膜と、
前記第１の画素電極および前記第２の画素電極上に形成された発光層と、
前記発光層上に形成された第１の対向電極、および第２の対向電極と、
を有する発光装置であって、
前記第１のＴＦＴおよび前記第２のＴＦＴは、ソース領域およびドレイン領域をそれぞれ有し、
第１の画素電極は第１の電極からなり、
第２の画素電極は第２の電極および第１の補助電極からなり、
前記第１の電極および前記第２の電極は、前記層間絶縁膜に形成された開口部において、前記ソース領域または前記ドレイン領域のいずれか一方と電気的に接続され、
前記第１の電極および前記第２の電極は、陽極または陰極のいずれか一方を形成する材料からなり、
前記第１の補助電極は、陽極または陰極のいずれか他方を形成する材料からなることを特徴とする発光装置。
【請求項５】
絶縁表面上に形成された第１のＴＦＴおよび第２のＴＦＴと、
前記第１のＴＦＴおよび前記第２のＴＦＴ上に形成された層間絶縁膜と、
前記層間絶縁膜上に形成された第１の画素電極および第２の画素電極と、
前記第１の画素電極と前記第１のＴＦＴとの接続部、および第２の画素電極と前記第２のＴＦＴとの接続部を覆って形成された絶縁膜と、
前記第１の画素電極および前記第２の画素電極上に形成された発光層と、
前記発光層上に形成された第１の対向電極、および第２の対向電極と、
を有する発光装置であって、
第１の対向電極は第２の補助電極および第３の電極からなり、
第２の対向電極は第３の電極からなり、
前記第１の画素電極、および前記第２の対向電極は、陽極または陰極のいずれか一方であり、
前記第２の画素電極、および前記第１の対向電極は、陽極または陰極のいずれか他方であることを特徴とする発光装置。
【請求項６】
絶縁表面上に形成された第１のＴＦＴおよび第２のＴＦＴと、
前記第１のＴＦＴおよび前記第２のＴＦＴ上に形成された層間絶縁膜と、
前記層間絶縁膜上に形成された第１の画素電極および第２の画素電極と、
前記第１の画素電極と前記第１のＴＦＴとの接続部、および第２の画素電極と前記第２のＴＦＴとの接続部を覆って形成された絶縁膜と、
前記第１の画素電極および前記第２の画素電極上に形成された発光層と、
前記発光層上に形成された第１の対向電極、および第２の対向電極と、
を有する発光装置であって、
第１の対向電極は第２の補助電極および第３の電極からなり、
第２の対向電極は第３の電極からなり、
前記第３の電極は、陽極または陰極のいずれか一方を形成する材料からなり、
前記第２の補助電極は、陽極または陰極のいずれか他方を形成する材料からなることを特徴とする発光装置。
【請求項７】
請求項１乃至請求項６のいずれか一において、
前記発光層は、正孔輸送性および電子輸送性を有するバイポーラ性の材料からなることを特徴とする発光装置。
【請求項８】
請求項１乃至請求項６のいずれか一において、
前記発光層は、正孔輸送性材料および電子輸送性材料からなることを特徴とする発光装置。
【請求項９】
請求項１乃至請求項８のいずれか一において、
前記発光装置は、表示装置、カメラ、パーソナルコンピュータ、モバイルコンピュータ、記録媒体を備えた携帯型の画像再生装置、ゴーグル型ディスプレイ、電話機から選ばれた一種であることを特徴とする発光装置。
【請求項１０】
絶縁表面上に第１の電極および第２の電極を形成し、
前記第２の電極上に第１の補助電極を形成し、
前記第１の電極、前記第２の電極および前記第１の補助電極上に発光層を形成し、
前記発光層上であって、前記第１の電極と重なる位置に第２の補助電極を形成し、
前記発光層、および前記第２の補助電極上に第３の電極を形成する発光装置の作製方法であって、
前記第１の電極からなる第１の画素電極と、前記発光層と、前記第２の補助電極および前記第３の電極とからなる第１の対向電極と、を有する第１の発光素子と、
前記第２の電極および前記第１の補助電極とからなる第２の画素電極と、前記発光層と、前記第３の電極からなる第２の対向電極と、を有する第２の発光素子とを形成することを特徴とする発光装置の作製方法。
【請求項１１】
絶縁表面上に第１のＴＦＴおよび第２のＴＦＴを形成し、
前記第１のＴＦＴおよび前記第２のＴＦＴ上に層間絶縁膜を形成し、
前記層間絶縁膜上に第１の電極および第２の電極を形成し、
前記第２の電極上に第１の補助電極を形成し、
前記第１の電極と前記第１のＴＦＴとの接続部、および第２の電極と前記第２のＴＦＴとの接続部を覆って絶縁膜を形成し、
前記第１の電極、前記第２の電極および前記第１の補助電極上に発光層を形成し、
前記発光層上であって、前記第１の電極と重なる位置に第２の補助電極を形成し、
前記発光層、および前記第２の補助電極上に第３の電極を形成する発光装置の作製方法であって、
前記第１の電極からなる第１の画素電極と、前記発光層と、前記第２の補助電極および前記第３の電極とからなる第１の対向電極と、を有する第１の発光素子と、
前記第２の電極および前記第１の補助電極とからなる第２の画素電極と、前記発光層と、前記第３の電極からなる第２の対向電極と、を有する第２の発光素子とを形成することを特徴とする発光装置の作製方法。
【請求項１２】
請求項１１において、
前記第１のＴＦＴおよび前記第２のＴＦＴは、ソース領域およびドレイン領域をそれぞれ有し、
前記第１の電極および前記第２の電極は、前記層間絶縁膜に形成された開口部において、前記ソース領域または前記ドレイン領域のいずれか一方と電気的に接続されることを特徴とする発光装置の作製方法。
【請求項１３】
請求項１０乃至請求項１２のいずれか一において、
前記第１の画素電極および前記第２の対向電極は、陽極または陰極のいずれか一方であり、
前記第２の画素電極および前記第１の対向電極は、陽極または陰極のいずれか他方であることを特徴とする発光装置の作製方法。